Podtech/llm-jp-corpus-v4-ja_patent huggingface dataset:
(57)【要約】      （修正有）【課題】一見木造で有るが自然災害（地震・台風）に強く、又、火災にも強い構築物で、工期も短くてすむエコな構築物を提供する。【解決手段】表面は木造で有るが実は耐震、耐火の構造物である。木枠の中に鉄骨のＩ、Ｈ、Ｔ、Ｌ、Ｏ型の鋼材を挿入し、地震台風等の自然災害に強い構造物とする工法。および基礎は５〜７ｃｍ程度の変位に対応出来る隙間を作り、地震時に縦、横方面へのズレに対応できる耐震基礎とした、防火、耐火の対応も十分な構造。【選択図】図−２
2011102522.tif 000002
【特許請求の範囲】
【請求項１】
本体にはＩ型・Ｈ型・［型（溝型）Ｌ型・Ｏ型の鉄骨が主体である。その鉄骨の組立てはボルト・ナット・溶接により結合される。次にこの工法の特徴（本論に入る）は鉄骨によって本体主要部（柱・梁）を組み上げた後、表面を仕上げた木材により、型枠状態にした木組で鉄骨部を覆い、柱、梁との間（すき間）にモルタル、セメント、石膏等  耐火性能の有る材料を充鎮する。この場合、モルタル、セメント石膏の耐力が出た事を確認した後、次の工程へと工事（工法）を進める。尚、木材についたセメントカス、石膏は洗い落とし木材は柱、梁として現し、そのまま使用する工法で有る。
【請求項２】
基礎についても東西南北  各方位へ５ｃｍ〜７ｃｍの変位に対応出来る隙間を作り、地震変動に対向出来る耐震基礎とした。詳しくは図−６による。
【発明の詳細な説明】
【発明の詳細な説明】
従来の鉄筋、鉄骨コンクリート造構造物に置いて型枠はコンクリートの耐力が出れば取り外していた。又、木の内に鉄骨を埋め込んだ工法も特許取得しているが、１，０００℃〜２，０００℃の火災には鉄の部分が溶けてしまい、あめ状になり人、動物が危険であった。当工法はこの様な欠点を補う為、考案した。
【技術分野】本発明は表面は一見木質構造物で有るが、地震・台風にも強い骨組みに鉄骨を挿入した構造物で有り、又  今までのコンクリート型枠を取り外さない為、工期も早く仕上げ材をそのまま使う事により、単価も少なくて済む。従来に無い新しい工法で有る。
【背景技術】従来は鉄筋コンクリート造で、型枠は取り外していた。又、特許申請に木造にＨ型鋼を入した物は有る。
【発明が解決しようとする課題】
【００１】従来は鉄筋鉄骨コンクリート造で、型枠は取り外していた。
【００２】他社の特許申請には木材に型鋼を挿入した物は有るが、火災時に鉄骨が溶けて使い物にならない。つまり焼け落ちる。以上を解決する為、モルタル・コンクリート・石膏をつめる事により、火災時に火から鉄骨を守る為に考え出された工法で有る。
【課題を解決する為の手段】
先ずどうしても木造としたい建物で、耐火にも耐震にも強い構造物としたいが為の工法である。例：日本的な家屋、神社、寺、山小屋的建物。尚、表面上木構造物なので、釘、金物も自在に取り付け可能で、木造の自然（エコ）な柔い表現の建物を必要とされる時に最適と考える。
【発明を実施するための形態】
このＩ型・Ｈ型・Ｔ型・Ｌ型・［型・Ｏ型を柱及び梁内に挿入して木材の型枠を図−１、図−２に示す。
【実施例】この柱と染の取り付けは通常のボルト又は、溶接つぎで良い。一番の特徴は、柱・梁に取り付ける厚板を止める凹ネジと凸で堅固に固定する。止める箇所は上、下、中央部とし、長い柱、梁においては何箇所かの増加を計る。次に図−２より厚板と柱及び梁の鋼材はあらかじめ柱、梁に凹型ネジを設置して有るので表面（縦面・横面）より凸ネジにより緊締する。建築基準法第２条第七号の規定の基づき、耐火構造は第１ホ軸組を鉄骨造とし、その両面を塗厚さが３．５ｃｍ以上の鉄鋼パーライトモルタルで覆った物。（建築基準法抜粋）の上記を越える物とする。
【発明の効果】
従来の工法と比べて、１＞鉄骨造で有るのに木造が表現できる
２＞型枠を取り外さなくて良い
３＞自然災害（地震・台風）に強い
４＞工法が簡単なので工期短縮が出来る
５＞表面と内装・射体が一体なので経済的
６＞木部に色々な装飾が出来る
７＞火災に対応出来る
【図面の簡単な説明】
【図１】  本発明の実施形態を示す立体図である
【図２】  柱と梁を継ぐ断面図である
【図３】  床と梁を継ぐ断面図である
【図４】  柱と梁を継ぐ断面図である
【図５】  側面梁の覆せ姿図である
【図６】  基礎と柱脚の平面及び断面図
【図−１】
2011102522.tif 000003
【図−２】
2011102522.tif 000004
【図−３】
2011102522.tif 000005
【図−４】
2011102522.tif 000006
【図−５】
2011102522.tif 000007
【図−６】
2011102522.tif 000008
(57)【要約】【課題】人、物体が扉を開閉、行き来する際１扉本体の上部のほこりが落下し、人、物体に附着しないことを課題とした。【解決手段】本発明は、１扉本体の上部の形状を水平の断面ではなく、斜めの断面の構造とすることで空中に飛散しているほこりが堆積しにくくなり、人、物体が行き来する扉は、開け閉めの際に扉の動作で扉上部のほこりを少なくすることで、１扉本体を利用して行き来する人、物体にほこりが落下し附着することが防げるものである。【選択図】図２
2011102518.tif 000002
【特許請求の範囲】
【請求項１】
人、物体が行き来する１扉本体の２扉本体上部の形状を斜めにした断面の構造で構成された１扉本体。
【発明の詳細な説明】
【技術分野】
【０００１】この発明は、１扉本体の上部にほこりが堆積しにくい構造部分としたものである。
【背景技術】
【０００２】人、物体が行き来する扉は、開け閉めの際に扉の動作で扉上部に堆積されたほこりが落下し、扉を利用して行き来する人、通過する物体にほこりが落下し附着する。この落下するほこりが１扉本体の上部を堆積しにくい断面の構造で形成したもので構成された扉である。【０００３】
【特許文献１】特開２００９−２４９１５５
【発明の開示】
【発明が解決しようとする課題】
【０００４】従来の扉上部の形状は、水平の断面の構造であり、空中に飛散しているほこりが堆積しやすい断面の構造である。扉の開閉時、扉上部に堆積したほこりがその箇所を行き来する人、通過する物体に落下し附着する。
【課題を解決するための手段】
【０００５】この発明は、上述のような課題を解決するためになされたものである。扉上部にほこりが堆積しにくくし、人、物体が扉を行き来し開閉した際に落下したほこりが附着しないことを提供するものである。【０００６】１扉本体の上部の形状を水平の断面では無く、空中に飛散しているほこりが堆積しにくい形状の断面構造とするものである。
【発明の効果】
【０００７】本発明は、１扉本体の上部の形状を水平の断面ではなく、斜めの断面の構造とすることで空中に飛散しているほこりが堆積しにくい形状の断面の構造とし、人、物体が行き来する扉の開け閉めの際に１扉本体の動作で扉上部のほこりを少なくすることで、扉を利用して行き来する人、物体にほこりが落下し附着することが防げるものである。
【発明を実施するための最良の形態】
【０００８】本発明は、添付の図面に従いこれらを説明する。
【実施例】
【０００９】今、その構成を添付の図面を追いながら説明すれば、人、物体が扉を開閉し行き来する際、２扉本体上部の形状を斜めにした断面の構造で構成し、１扉本体の上部にほこりの堆積が少なくなり、扉を通過する際の人、物体にほこりの附着が防ぐことが出来る。また、２扉本体上部を斜めにした構造部分により、その斜め面が目視でき、ほこりの附着、汚れの確認が容易に出来る。
【産業上の利用可能性】
【００１０】生産設備を目的とした建物体の人、物体の行き来する扉を通過する際、人、物体にほこりが附着しないことを要求する。特に精密機械の生産工場、食品を扱う工場においては、特に製品にほこりが附着しないことを要求される。これらのことから本発明は、この建物体内で行き来する人、物体に対し、ほこりの附着をより少なくすることで工場での生産する製品をよりよい製品とするものである。
【図面の簡単な説明】
【００１１】扉本体上部の形状を斜めにした断面の構造で構成された扉
【図１】本発明の１扉本体の扉本体上部の形状を斜めにした断面の構造で構成された扉の使用斜視図
【図２】本発明の１扉本体の扉本体上部の形状を斜めにした断面の構造で構成された扉の使用断面図
【符号の説明】
【００１２】１は扉本体
２は扉本体上部の形状を斜めにした断面の構造
３は扉本体の枠
４は扉本体の吊元蝶番
５は扉本体を支える壁
６は床
７は扉本体の取手
【図１】
2011102518.tif 000003
【図２】
2011102518.tif 000004
(57)【要約】【課題】住宅等の建築物の開口部分に防水テープを貼る場合（取り付けフィンを持たず、防水性の劣った形状のサッシュ等）には防水テープが完全に尚且つ容易には貼ることが出来ない。又、透湿防水シートを切断しなければならない部位からは漏水が発生し易い。【解決手段】防水テープの躯体接着側にも剥離紙を加え、両面に剥離紙を持った形状にし、躯体接着側の片面のみ又は透湿防水シート接着面の剥離紙を含む両面に切れ目を入れ、縁切りにした形状にして接着施工時に折り曲げやすくして施工個所に押し付け、最初に躯体側の剥離紙の片側をめくって角度を合わせて接着してからもう片側の剥離紙をめくり、圧力をかける事により正確に完全に防水性を確保する。【選択図】図５
2011102520.tif 000002
【特許請求の範囲】
【請求項１】
窯業系外装材（以下Ｓ，Ｄ）を外壁材として使用する建築物において、開口部（アルミサッシュ、スチール製サッシュ）などの周りにサッシュ取り付けフィンが無い場合等に透湿防水シートを完全かつ容易に張る事が出来る事を目的とした両面ブチル系、アクリル系等の防水テープ（以下防水テープ）。
【請求項２】
窯業系外装材（以下Ｓ，Ｄ）を外壁材として使用する建築物において、角度を持ち、透湿防水シートを切断して貼らなければならない部位に透湿防水シートを完全かつ容易に張る事が出来る事を目的とした防水テープ。
【発明の詳細な説明】
【技術分野】
【０００１】  この発明は住宅瑕疵担保保証等において開口部分廻りの透湿防水シートと、その取り合う部位の間に防水テープを張って室内側への漏水を防ぐ事が必要とされる事実に伴い、その施工を容易かつ完全に実施する事を目的とする。
【背景技術】
【０００２】  従来の建築物の開口廻りの防水テープ、透湿防水シートの開口廻りの施工方法は図２、図５、に示すような構造が一般的であるがこの他に図４、のような場合が有る。又図３、のような部分もある。
既存する防水テープは平面的に接着する事を前提にした物が殆どで他に伸縮性に優れた片面テープも有るが、高価であるし直線的施工性が悪い。
【発明が解決しようとする課題】
【０００３】しかしながら、図４、の場合に防水テープを完全に尚且つ正確に貼り付けることは従来の防水テープでは直線的施工性に欠け精度も出しにくく適正に施工するのは困難である。尚、図３、のような角度を持つ部位で透湿防水シートを切断して施工する必要がある場合、防水テープを完全に施工して漏水を防ぐ事が望ましい。
【課題を解決するための手段】
【０００４】  以上の課題を解決するために、
第一発明は、躯体接着側にも剥離紙を加え、両面に剥離紙を持った形状にし、躯体接着側剥離紙片側又は透湿防水シート側剥離紙を含む両側の然るべき部分を縁切りした形状にして接着施工時に防水テープを直線的に折り曲げやすくし、施工個所に押し付け、最初に半分片面躯体側の剥離紙をめくって角度を合わせて接着してからサッシュ側の剥離テープをめくり、圧力をかける事により正確に完全に防水性を確保する事が出来る防水テープである。
【０００５】          また、第二発明は、建物からの突出した部品、構造物、設備機器等の廻りに有角形状の防水テープを［００４］と同様に張ることによってＳ，Ｄを貫通した或いは突出した部分の２次的な透湿防水シートの性能精度向上が期待できる防水テープである。
【発明の効果】
【０００６】      第一発明によれば、建築物の外壁下地材と開口部位のサッシュとの縁が切れている      （取り付けフィンを持たず、防水性の劣った形状のサッシュ等）部位に防水テープ      が完全に貼れないという問題を解決し、精度の高い防水性能を確保できる。
【０００７】      第二発明によれば、建築物において、雨水等が進入しやすく、尚且つ見落とされや      すいのに漏水の可能性が高い部位の透湿防水シートの信頼性を高める事が出来る。
【発明を実施するための最良の実施形態】
【０００８】      躯体接着側にも剥離紙を加え、両面に剥離紙を持った形状にし、躯体接着側剥離紙      のみ又は透湿防水シート側剥離紙を含む両面を縁切りした形状にして接着施工時に      防水テープを直線的に折り曲げやすくして施工個所に押し付け、最初に半分片面躯      体側の剥離紙をめくって角度を合わせて接着してからサッシュ側の剥離テープをめ      くり、圧力をかける事により正確に完全に防水性を確保する
この発明の一実施形態を図１、に示す
【図面の簡単な説明】
【０００９】
【図２】〔図５〕窯業系外装材協会が定める防水テープの施工要領図
【図４】（取り付けフィンを持たず、防水性の劣った形状のサッシュ等）の納まり図
【図３】雨水等が進入しやすく、尚且つ見落とされやすいのに漏水の可能性が高い部位の納まり例
【図１】この発明の実施形態図
【符号の説明】
【００１０】Ａ  透湿防水シート
Ｂ  躯体取り付け用フィン
Ｃ  防水テープ
Ｄ  躯体構造物、又は外壁用下地
Ｅ  サッシュ開口枠等
Ｆ  サッシュ開口枠等の取り付け用下地
Ｇ  開口部
Ｈ  Ｓ，Ｄ
Ｉ  Ｓ，Ｄ取り付け金具
Ｊ  溶接等による開口枠取り付け部
Ｋ  角度を持つ部位で透湿防水シートを切断して施工する必要がある部位
【図１】
2011102520.tif 000003
【図２】
2011102520.tif 000004
【図３】
2011102520.tif 000005
【図４】
2011102520.tif 000006
【図５】
2011102520.tif 000007
【手続補正書】
【提出日】平成21年12月18日(2009.12.18)
【手続補正１】
【補正対象書類名】明細書
【補正対象項目名】０００９
【補正方法】変更
【補正の内容】
【０００９】
【図１】窯業系外装材協会が定める防水テープの貼り位置を正面から見た施工要領図
【図２】窯業系外装材協会が定める防水テープの貼り位置を断面的に見た施工要領図
【図３】（取り付けフィンを持たず）、防水性の劣った形状のサッシュ等の収まり図
【図４】雨水当が浸入しやすく、尚且つ見落とされやすいのに漏水の可能性が高い部位の収まり例
【図５】この発明の実施形態図
【手続補正書】
【提出日】平成21年12月24日(2009.12.24)
【手続補正１】
【補正対象書類名】明細書
【補正対象項目名】０００２
【補正方法】変更
【補正の内容】
【０００２】    従来の建築物の開口廻りの防水テープ、透湿シートの施工方法は図１、図２、に示すような構造が一般的であるが、この他に図３、のような場合がある。又図４、のような部分もある。既存する防水テープは平面的に接着する事を前提にした物が殆どで他に伸縮性に優れた防水テープもあるが、高価であるし直線的施工性が悪い。
【手続補正３】
【補正対象書類名】図面
【補正対象項目名】全図
【補正方法】変更
【補正の内容】
【図１】
2011102520.tif 000008
【図２】
2011102520.tif 000009
【図３】
2011102520.tif 000010
【図４】
2011102520.tif 000011
【図５】
2011102520.tif 000012
(57)【要約】      （修正有）【課題】舟体や車体等の移動体に設置し、移動体が曲がるときに安全、スムーズに曲がるようにするための遠心力を一定の方向の力に変える装置を提供する。【解決手段】内部に移動可能な物体が入った中空の細長い容器を、中央部を中心として３６０度連続して回転させる。容器の端部が、０度から１８０度の間の位置では、内部の物体４が端部寄りに有るように移動させ、１８０度から３６０度の間の位置では反対側の端部寄りに移動させることで、０度から１８０度の間の端部の質量を大きくする。【選択図】図１
2011102111.tif 000002
【特許請求の範囲】
【請求項１】
中に移動可能な物体が入った中空の細長い容器を、中央部を、中心にして、３６０度連続して回転させる。容器の端部が、０度から１８０度の間にある時は、中の物体が端部側にあるように移動させ、端部が、１８０度から３６０度の間にある時は、端部の反対側にあるようにする。端部の位置が、一定の角度の範囲内の時に質量を大きくすることで、その範囲内の遠心力を大きく相対的に、その方向に力が働くようにする装置。
【発明の詳細な説明】
【技術分野】
【０００１】  本発明は、遠心力を一定方向の力に変える装置に関する。
【背景技術】
【０００２】  従来、遠心力を一定方向の力に変える装置は、なかった。
【発明の概要】
【発明が解決しようとする課題】
【０００３】  本発明は、遠心力を一定の方向に変える事を課題とする。
【課題を解決するための手段】
【０００４】  そして本発明は、上記目的を達成するために中空の細長い容器の中に移動可能な物体を入れ、中央部を中心に３６０度回転させる。端部が、０度から１８０度の間にある時は中央部より端部側に物体があり、１８０度から３６０度の間は、端部側に物体がないように移動させることによって、角度によって端部の質量を変える。【０００５】  上記により、端部の質量は、０度から１８０度の間が大きくなり円心力の大きさも同様となる。数本の中空の容器を角度を変えて組み合わせ事で相対的に、おおよそ９０度の方向に働く。
【発明の効果】
【０００６】  舟体や車体等の移動体に設置、固定すると本発明により生じた力の方向に移動する事ができる。【０００７】  車輪を駆動させて移動する従来の方法では、車輪がスリップして動かなくなる事があるが、本発明により移動する場合は、そういう事はない。【０００８】  自動車等が曲がる時、外側へふくらもうとする力が働くが、本発明により生じた力を内向きに働かせることにより安全、スムーズに曲がる事ができる。【０００９】  生じた力を、上向きに働かせる事で飛行体の浮力、又はその補助となる。
【図面の簡単な説明】
【００１０】
【図１】原理を説明するための回転中の各角度の状態を示す説明図である。
【図２】この発明の一実施形態を示す斜視図である。
【図３】中空の容器を２本組み合わせた時の斜視図である。
【発明を実施するための形態】
【００１１】  以下、本発明の実施の形態を図１〜図３に基づいて説明する。
【００１２】  図１において、端部２及び３の回転中の角度と中空の容器の中の移動物体４との位置関係を説明する。端部２が、０度の位置にある時に物体４は、中央部１の位置から２に向かって移動を始め０度と９０度の間で２に到達する。そのまま回転を続け、２が９０度と１８０度の間で、物体４は、２から１に向かって移動、１８０度の位置で１に到達する。その時、端部３は０度の位置にあり物体４は、中央部１から３に向かって移動、端部その時と同様の行程を繰り返す。端部が、１８０度から３６０度の位置にある時に、物体４は、１をはさんだ反対側にある。
【００１３】  上記により、端部の質量は０度から１８０度の間の方が１８０度から３６０度の間より大きくなり、遠心力の大きさも同様となる。従って相対的に遠心力は、その方向に働く。
【００１４】  中空の容器の中の物体４の移動方法は、磁力を使う、気圧を使う等、いくつかの方法が考えられる。
【００１５】  又、物体４は、液体であることも可能で、移動方法はポンプが考えられる。
【００１６】  図３に示す様に、数本の中空の容器を角度を変えて組み合わせることでより安定して９０度に近い方向に働く。
【符号の説明】
【００１７】  １      容器の中央部
２・３  容器端部
４      容器の中の移動物体
５      容器を回転する原動機
【図１】
2011102111.tif 000003
【図２】
2011102111.tif 000004
【図３】
2011102111.tif 000005
(57)【要約】      （修正有）【課題】牛乳パックの開口グチに器具を使うことで容易に開口を可能とする。【解決手段】最初の折り目に沿い開口準備をして、器具の主芯をパック上部に差し込み，テコの作用を用いて主芯が平行な角度を維持して手前に開口部を引き出す。【選択図】図３
2011102151.tif 000002
【特許請求の範囲】
【請求項１】
本発明は、器具を使い簡単、清潔、綺麗に紙パック開口を開くことを特徴とする。
【請求項２】
本発明は、紙パックの複数の規格に対応するに伴い器具にも、高さ調節機能を持たることも特徴とする。  図面５、及び図面２の３の部分。
【発明の詳細な説明】
【技術分野】
【０００１】  本発明は、牛乳パックの開口グチを容易に開口に関するものである。
【背景技術】
【０００２】  牛乳パックの開口グチは、一般的に、織り込み部分に手を使い開口するように実用されている。【０００３】  しかし、大人でも、上手く満足に行かない場合も多く、まして子供や、お年寄りの力では上手く行かず開口が出来にくく指を開口に触れ衛生上良くないという欠点があった。
【先行技術文献】
【特許文献】
【非特許文献】
【発明の概要】
【発明が解決しようとする課題】
【０００４】  往来の手順通りに紙パックを開口しようとしても，強力な接着性のため誰でも簡単に開口出来ない点である。
【課題を解決するための手段】
【０００５】  本発明は、器具を使い簡単、清潔、綺麗にパック開口を開くことを特徴とする。
【発明の効果】
【０００６】  本発明のパックオープナーは、パックに最初の折り目に沿い開口準備をして、器具の主芯をパック中心部上部に差し込み，テコの作用を用いて主芯が平行な角度を維持して手前に開口部を引き出し誰でも開口し易くなる利点がある。
【図面の簡単な説明】
【図１】  パックオープナーの斜図である。
【図２】  パックオープナーの側面図である。
【図３】  パックオープナーの実施例（１）である。
【図４】  パックオープナーの実施例（２）である。
【図５】  パックオープナーの実施例（３）である。
【発明を実施するための形態】
【０００７】    牛乳パックの底部用のガイド枠からパック上辺と支柱の上辺が等しく設定しパック上辺から、折り目部分の高さを作用点にあたる主芯取り付け部（自由可動）を上部に設定し主芯取りつけ部から主芯曲がり部分内側の長さをパック往来開口手順、（先端部を左右に拡げた中心部分）に設定し、主芯を往来開口手順先端部に左右に拡げた中心部分に針先より曲がり部分まで刺し、ハンドル部からアーム取り付け部を支点（自由可動）中心にハンドルを下方向に下げ主芯が手前に引かれる。
【実施例】
【０００８】    牛乳パックの底部用のガイド枠からパック上辺と支柱の上辺が等しく設定（１リットル用は１９５ミリメートル）しパック上辺から、折り目部分の高さを作用点にあたる主芯取り付け部（自由可動）を約５ミリ上部に設定。（なるべく主芯を平行移動させる為）取りつけ部から主芯曲がり部分内側の長さを６８ミリメートル設定し、主芯を往来開口手順の先端部を左右に拡げた中心部分に針先より曲がり部分まで刺し、ハンドル部アーム取り付けを支点（自由可動）中心にハンドルを下方向に下げる事により主芯が手前に引かれ開口部が引かれながら開く。【０００９】    ５００ミリリットル用牛乳パックでは底辺部ガイド枠にスライド機能を持たせることにより、本発明で、二通りの企画の製品に対応できた。（図５参照）
【産業上の利用可能性】
【００１０】    業務で大量に紙パック容器に入った製品を使用する場合、開放時間の個人差が少なくなる。
【符号の説明】
【００１１】    １  主芯
２  ハンドル
３  底部ガイド枠
【受託番号】
【図１】
2011102151.tif 000003
【図２】
2011102151.tif 000004
【図３】
2011102151.tif 000005
【図４】
2011102151.tif 000006
【図５】
2011102151.tif 000007
(57)【要約】【課題】  練り歯磨きやマヨネーズなどの容器において、吐出口にネジ式キャップを使用する事によって、吐出口付近を円形かつ他の部分より厚めに製造しなければならないため、内容物を、最後まで搾り出すことができずに、残ってしまう。【解決手段】  この種類の、ある程度粘度を持った内容物の容器として、最後まで容易に、人の指によって、内容物を押し出すことができるために、吐出口付近をやわらかく作り、なおかつ、安全に保存でき、容易にキャップを開け閉めできうる構造のため、このキャップの形状と容器本体の形状を工夫したものである。【選択図】図１
2011102150.tif 000002
【特許請求の範囲】
【請求項１】
容器の口元とキャップをともに楕円形の形状とする。
容器の口元の表面と裏面のみに、くさび形の歯を並べた形状に成型し、キャップの内側の相対する面にも同様の相反する形状を持たせ、柔軟性のあるキャップが押し込まれることにより、互いがかみ合い、固定される。
固定された後は、容器とキャップの互いに密着している部分が、楕円形であるがためキャップは回転しないので、噛み合った歯どうしは解放されない。
【請求項２】
キャップの開口部は容器本体の形状よりも横長の楕円形状で、容器の、接する箇所に対し、ゆとりを持たせ、挟み込むと変形する。
上記キャップの、歯型のない左右の面を指でつまみ、少し潰す事によって、キャップ内部の形状が横長の楕円型から、縦長の楕円型に変形し、同時に組み合った歯型どうしが解除された状態になり、キャップを瞬時に取り外すことができる。
【発明の詳細な説明】
【技術分野】
【０００１】この発明は、歯磨き粉、練りわさび、及びマヨネーズ等のやわらかい内容物を最後まで簡単に出しきれること、及び簡単なキャップの開け閉めに関する。
【背景技術】
【０００２】従来の、練り物等の容器における、取り出し口のキャップ及びキャップの受けをやわらかい構造に変え、かつ、簡易に開け締めができるものである。
【発明の概要】
従来の、練り物などの容器に使われているキャップ部分を弾力のある材料、又は多少変形する材料にて製造し、ワンタッチでキャップを押しかぶせるだけで、その弾力と容器本体の弾力により、互いの歯がかみ合い閉じることができる。それにより本体のキャップの受け部分を従来のものより、やわらかい構造とすることが可能になり、人の指の力だけで最後まで内容物を押し出すことが可能になる。  また、キャップを取り外すことも、指で挟むだけで、ワンタッチでできるものである。
【発明が解決しようとする課題】
【０００３】現在、流通している歯磨き粉やマヨネーズなどの容器が、取り出し口にネジ式キャップを使用しているため、容器の取り出し口付近が正円形であり、なおかつ強度を保つため他の部位と比べ、硬めに作られており、それゆえ内容物を最後まで指で出し切るのは不可能であるという事。又、それゆえに内容物が最後まで利用できないで内容物をむだにしている。
そこで、この第一の発明は、容器およびキャップの材料、樹脂の弾力を利用して、互いの歯をかみ合わせて、キャップと容器を固定させることにより、容器を、その口元で、従来のネジ式のものよりもやわらかく作れること。
第二の発明は、容器の先端とキャップの形状を楕円形にして、なおかつ先述の、互いに噛み合う歯の構造と組み合わせることにより、キャップ部を、引き抜く力、及び回転させる力に対して、しっかりと抵抗し、固定できること。  加えて、キャップの両脇部を指で挟み、キャップを変形させることで、瞬時に、キャップを容器本体より開放させられることである。
【課題を解決するための手段】
【０００４】従来の、この種類の容器においては、キャップをねじ込み式にすることで、内容物の保存を行い、利用するつどに、キャップをまわしてふたを開けるという作業上、キャップをしめる相方の容器本体を、ある程度硬くつくらなくてはならなかったものを、キャップをただ押し込むだけで固定できる方法にすることにより、容器本体の、キャップが取り付く付近をやわらかく作ることができ、最後の内容物まで、指で押し出すことが安易におこなえる。
【発明の効果】
【０００５】容器の内容物を、最後まで、指の力だけで排出でき、経済的である。
又、容器自体を製造する際に必要な材料も節約できる。
容器の開け閉めが、非常に簡単で、ネジ式のキャップよりはるかにすばやくできる。
【図面の簡単な説明】
【０００６】
【図１】は、容器本体とキャップ部の、それぞれの平面図である。
【図２】は、容器本体とキャップ部の、それぞれの側面図である。
【図３】は、キャップを閉じたときの、平面図である。そこに断面図１，２、及び４の、断面を取ったときの断面位置を表示した。
【図４】は、キャップを閉じたときの、側面図である。そこに断面図１，２、及び３の、断面を取ったときの断面位置を表示した。
【図５】は、平面から見た断面図３．である。
【図６】は、側面から見た断面図４．である。
【図７】は、断面図１である。
【図８】は、断面図１に力が加わって変形し、キャップ部と容器本体の固定のための歯がそれぞれかみ合っていない状態の断面１の図である。
【図９】は、断面２の断面図である。
【図１０】は、断面１付近に力が加わって変形し、キャップ部と容器本体のそれぞれの歯が、噛み合っていない状態の、概略の側面から見た断面図である。
【図１１】は、断面１付近に力が加わって変形し、形状が変形した状態の、概略の平面から見た断面図である。
【産業上の利用可能性】
【０００７】  食品、医薬品、練り歯磨き等の日用品、及び接着剤，充填材など、練り物、流動物、などの容器として、開け閉めが簡単なキャップを持ち合わせ、かつ、内容物を最後まで利用することができるため、無駄が少なくなる。
また、容器本体の製造においても、吐出口付近において材料を節約することが可能である。
【符号の説明】
【０００８】  ア  容器本体
イ  キャップ
【図１】
2011102150.tif 000003
【図２】
2011102150.tif 000004
【図３】
2011102150.tif 000005
【図４】
2011102150.tif 000006
【図５】
2011102150.tif 000007
【図６】
2011102150.tif 000008
【図７】
2011102150.tif 000009
【図８】
2011102150.tif 000010
【図９】
2011102150.tif 000011
【図１０】
2011102150.tif 000012
【図１１】
2011102150.tif 000013
(57)【要約】      （修正有）【課題】清涼飲料水本来の風味を損なうことなく天然飲料の原料本来の香りを揮散させ、その味わいと香りを充分に発揮させる。【解決手段】清涼飲料水用容器１の上面（天板）の外周縁に円形のカバーシール２を冠着するが喫飲時には容易に剥がせるように仮着の状態とする。カバーシール２の裏面に保香材料５を網目状の袋４の中に把持した保香材入り袋３を接着材で貼着する。清涼飲料水用容器１の上面外周縁に冠着したカバーシール２にツマミ６を設け、喫飲時にツマミ６を指で挟持し剥がすことにより、カバーシール２の裏面に貼着し内設されていた保香材入り袋３が露出され保香材料から香気成分が揮散する。【選択図】図４
2011102147.tif 000002
【特許請求の範囲】
【請求項１】
清涼飲料水の喫飲時に清涼飲料水内からの香りとは別に独立した保香材から天然原料本来の香りを味わうことができる清涼飲料水用容器へ冠着する保香材入り袋付きカバーシール
【請求項２】
保香材料が喫飲時、開封または加熱により香料を揮散させる請求項１記載のカバーシ
ール
【請求項３】
香りを発揮する香料が天然香料や合成香料もしくはそれらの調合品である請求項１記載のカバーシール
【請求項４】
清涼飲料水用容器が使い捨て容器である請求項１記載のカバーシール
【発明の詳細な説明】
【技術分野】
【０００１】
本発明は、清涼飲料水用使い捨て容器に冠着する蓋の裏面に香料を含んだ保香材入り袋を接着し喫飲時にその香料が揮散し清涼飲料水内からの香りとは別に独立した保香材から天然原料本来の香りを味わうことができる清涼飲料水用使い捨て容器へ冠着する保香材入り袋付きカバーシールに関するものである。 
【背景技術】
【０００２】
従来、清涼飲料水において特に香りの嗜好性の高いコーヒーや茶葉類に香りを付けるため香料による補完の必要性が生じ清涼飲料水の元となるコーヒー豆や茶葉、果肉などから水や溶剤あるいは抽出装置を用いて抽出したエキスやエッセンスなどをベースとして精製された香料や合成香料を調合していた。
【先行技術文献】
【特許文献】
【０００３】
【特許文献１】特開平６−１７１６５０
【特許文献１】実開平６−６１５７１
【発明の開示】
【発明が解決しようとする課題】
【０００４】
そのため次のような欠点があった。清涼飲料水内に直接香りのエキスやエッセンスなどの香料を添加した場合清涼飲料水が変質したり本来の風味が損なわれたり香料の香りが製造過程の加熱や時間の経過により拡散や揮発し香りの効果が薄くなっていた。   
【課題を解決するための手段】
【０００５】
清涼飲料水本来の風味を損なうことなく喫飲時に清涼飲料水の天然原料本来の香りを効果的に発揮する手段の解決に取り組んだ結果清涼飲料水用容器の外側に独立した保香材を装着し喫飲時その香気が揮散するようにし、その目的を達成するに至った。
【０００６】
すなわち本発明は、(１)清涼飲料水の喫飲時、清涼飲料水内からの香りとは別に独立した保香材から天然原料本来の香りを味わうことができる清涼飲料水用容器へ冠着する保香材入り袋付きカバーシール、（２）保香材料が喫飲時、開封または加熱により香料を揮散させる（１）記載のカバーシール、（３）香りを発揮する香料が天然香料や合成香料もしくはそれらの調合品である（１）記載のカバーシール、（４）清涼飲料水用容器が使い捨て容器である（１）記載のカバーシールである。
【０００７】
本発明は、以上の構成からなる清涼飲料水用使い捨て容器へ冠着する保香材入り袋付きカバーシールである。
【発明の効果】
【０００８】
本発明により清涼飲料水の原料本来の香りが飲料容器の外側に独立して設置された保香材から揮散し清涼飲料水本来の風味を損なうことなく効果を発揮する。従って従来の清涼飲料水内に香料を添加したものよりも香りが良く高い嗜好性を提供できる。 
【発明を実施するための最良の形態】
【０００９】
以下、本発明の実施の形態について図１〜図８に基づいて説明する。
【００１０】
清涼飲料水用容器（１）の上面(天板) の外周縁に円形のカバーシール（２）を冠着するが喫飲時には容易に剥がせるように仮着の状態とする。カバーシール（２）の裏面に保香材料（５）を網目状の袋（４）の中に把持した保香材入り袋（３）を接着材で貼着する。清涼飲料水用容器（１）の上面外周縁に冠着したカバーシール（２）にツマミ（６）を設け喫飲時に清涼飲料水用容器（１）からカバーシール（２）のツマミ（６）を指で挟持し剥がすことによりカバーシール（２）の裏面に貼着し内設されていた保香材入り袋（３）が露出され保香材料から香気成分が揮散する。
【００１１】
これを缶コーヒーに当てはめると喫飲者は保香材入り袋（３）に挿入された焙煎コーヒー豆から揮散されるコーヒー本来の香りを楽しみながらイージーオープン蓋のプルトップを開け、コーヒーを飲むことができる。  
【００１２】
清涼飲料水用容器（１）の材質として金属、樹脂、ガラス、紙、等の単独または複合品、容器の形状として缶、瓶、ボトル、カップ、トレイ、パックなどが適している。カバーシール（２）の材質としてアルミ箔、プラスティックフィルム、紙、樹脂、ポリプロピレン等の単独叉は複合品をシート状に成形したものを用いる。網目状の袋（４）の材質として紙、合成繊維、樹脂、プラスティックフィルム、合成紙の単独、または複合品の網目状の物を袋の形状に成形し保香材料を中に封じ香気成分だけが外側に揮散し保香材料は漏れないようにする。
【図面の簡単な説明】
【００１３】
【図１】本発明の等角投影図
【図２】本発明の斜投影図
【図３】本発明の正面図
【図４】本発明の分解斜視図
【図５】本発明の断面図
【図６】本発明の側面図
【図７】本発明の平面図
【図８】本発明の部分拡大図
【符号の説明】
【００１４】
１ 清涼飲料水用容器 
２ カバーシール 
３ 保香材入り袋
４  網目状の袋
５  保香材料
６  ツマミ
【図１】
2011102147.tif 000003
【図２】
2011102147.tif 000004
【図３】
2011102147.tif 000005
【図４】
2011102147.tif 000006
【図５】
2011102147.tif 000007
【図６】
2011102147.tif 000008
【図７】
2011102147.tif 000009
【図８】
2011102147.tif 000010
(57)【要約】【課題】  本発明は、ペットボトルのキャップにストローを差し込む孔を何時、何処でも自由にあけることができるペットボトルストロー孔あけ治具を提供する。【解決手段】  キャップ孔あけ軸（１）の一部を円錐状に加工し、さらに先端を半円球にした孔あけ部（２）を設け、キャップガイド（３）の内側にキャップ孔あけ軸（１）を挿入し、キャップガイド（３）と一体化させ、キャップガイド（３）には、ストローのサイズ確認孔（４）が設けたことを特徴にするペットボトルストロー孔あけ治具。【選択図】図１
2011102149.tif 000002
【特許請求の範囲】
【請求項１】
（イ）キャップ孔あけ軸（１）の先端に孔あけ部（２）を設ける。
（ロ）キャップガイド（３）の内側にキャップ孔あけ軸（１）を挿入し、キャップガイド  （３）と一体化させる。
（ハ）キャップガイド（３）には、ストローのサイズ確認孔（４）が設けてある。
以上のように構成されたペットボトルストロー孔あけ治具。
【発明の詳細な説明】
【技術分野】
【０００１】  本発明は、ペットボトルのキャップにストローを差し込む孔を何時、何処でも自由にあけることができるペットボトルストロー孔あけ治具に関するものである。
【背景技術】
【０００２】  従来、キャップを改造した商品はあるが、この商品自体一般的に普及率が低く、中々手に入らない。
【発明の概要】
【発明が解決しようとする課題】
【０００３】  そのために、次のような問題点がある。
あらかじめストロー孔をあけておくことにより、
（イ）車両の運転に支障なく飲める。
安全運転に繋がる。
車を運転しているとき、キャップを外す行為は、片手ではできず、両手では運転に    危険が伴う。
そこで、あらかじめストロー孔をあけ、ストローを差し込んでおけばいつでも飲み    たいときに簡単に飲むことができる。
また、車両の振動によるこぼれもない。
（ロ）会議中でも顔の高さまで上げる必要がなくなる。
気兼ねなく飲める。
デスクワーク中であっても、自然の状態で飲める。
本発明は、何時、何処でも簡単にストロー孔があけられる目的で発明した。
本発明は、これらの問題点を解決されるためになされたものである。
【課題を解決するための手段】
【０００４】（イ）キャップ孔あけ軸（１）の先端に孔あけ部（２）を設ける。
（ロ）キャップガイド（３）の内側にキャップ孔あけ軸（１）を挿入し、キャップガイド  （３）と一体化させる。
（ハ）キャップガイド（３）には、ストローのサイズ確認孔（４）が設けてある。
以上のように構成されたペットボトルストロー孔あけ治具である。
【発明の効果】
【０００５】  本発明は、ペットボトルのキャップに「孔あけ治具」をかぶせ上から押すことにより、キャップに孔を開け、孔にストローを差し込めるといった簡単な治具である。
治具の外観は押し易い形状とし、色も人の好みにより、多種用意が可能である。
本「孔あけ治具」は、ストロー差し込み口の用意されていない全く一般に出回っているペットボトル全てに適用され、用は、何時、何処でも、好きなときにストローが使用できる大変便利な治具である。
また、孔は１つしか開けないので、常に内外の圧力は保たれペットボトルが倒れてもストローからは外に漏れない。
孔を開ける先端は細いが、断面は半球となっており、人に刺さることはなく安全である。
また、孔をあける軸（ステンレス）を樹脂と融合させ一体化とするため清掃は容易であり、また、衛生的である。
【図面の簡単な説明】
【０００６】
【図１】  本発明の断面図である。
【図２】  本発明の平面図である。
【図３】  本発明の底面図である。
【図４】  本発明の孔あけの状態の説明図である。
【図５】  本発明のキャップ孔あけの説明図である。
【発明を実施するための形態】
【０００７】  以下、本発明の形態について説明する。
（イ）キャップ孔あけ軸（１）の一部を円錐状に加工し、さらに先端を半円球にした孔あ    け部（２）を設ける。
（ロ）キャップガイド（３）の内側にキャップ孔あけ軸（１）を挿入し、キャップガイド  （３）と一体化させる。
（ハ）キャップガイド（３）には、ストローのサイズ確認孔（４）が設けてある。
本発明は以上のような構造である。
本発明を使用するときは、ペットボトル（６）のキャップ（５）の中心にキャップガイド（３）をあてがい下方向に押す。
キャップガイド（３）を抜き、孔あけ後のキャップ（７）にストローを差し込み、内容物を飲むことができる。
このとき、孔は一箇所しかあけないので、万が一、ペットボトルが倒れても、ペットボトル内部と外部の圧力差、および表面張力の関係上、内容物がストローから漏れることは無い。
【符号の説明】
【０００８】  １  キャップ孔あけ軸
２  キャップ孔あけ部
３  キャップガイド
４  ストロー径確認孔
５  キャップ
６  ペットボトル
７  孔あけ後のキャップ
【図１】
2011102149.tif 000003
【図２】
2011102149.tif 000004
【図３】
2011102149.tif 000005
【図４】
2011102149.tif 000006
【図５】
2011102149.tif 000007
(57)【要約】      （修正有）【課題】密閉型圧縮機において、上蓋にリード線が接触していると、円筒シェルに上蓋を溶接する時の熱によりリード線の溶断、皮膜の劣化が発生するため、リード線は中間縛りを施しているが、縛る作業は工数が高い。リード線の配線作業を改善して、コストを低減する。【解決手段】密閉容器に配設された端子に接続されるリード線１０７のうちの１本のリード線２０１を他のリード線に巻きつけることにより、中間縛りがなくなるので、コストを低減することができる。【選択図】図１
2011064094.tif 000002
【特許請求の範囲】
【請求項１】
密閉容器の内部に、電動機とこの電動機により駆動され圧縮工程を行う圧縮機構部を配設し、前記電動機のリード線が、密閉容器に配設された密閉端子に接続される構成において、前記リード線のうち１本を他のリード線に巻きつけることを特徴とする密閉型圧縮機。
【発明の詳細な説明】
【技術分野】
【０００１】
本発明は、空気調和機やヒートポンプ式給湯機などに用いられる密閉型圧縮機に関するものである。
【背景技術】
【０００２】
従来、この種の圧縮機は図４に示すように、密閉容器１０１の内部に、電動機１０２とこの電動機により駆動の主軸１０３を支持する軸受１０４と、この主軸を介して圧縮工程を行う圧縮機構１０５を形成する圧縮ケース１０６が前記電動機１０２の上部に配設されており、前記電動機１０２の固定子１１６より延在のリード線１０７は、前記軸受１０４及び圧縮ケース１０６を貫通された切り欠き通路１１０を通り、容器上部に配設された密閉端子１０８に接続されている。また密閉容器１０１の下部が油溜まりとなっている。
【０００３】
圧縮機の吸入管１０９から吸入した冷媒気体は、圧縮機構１０５の吸入口１１１から入り、圧縮され、吐出口１１２から前記電動機１０２の側面隙間を経て、切り欠き通路１１０を通り吐出管１１３より圧縮機の外に吐出される。
【０００４】
上蓋１１４にリード線１０７が接触していると、円筒シェル１１５に上蓋１１４を溶接する時の熱によりリード線１０７の溶断、皮膜の劣化が発生するため図５に示すように、リード線１０７は中間縛り１１７を施している（例えば、特許文献１参照）。
【先行技術文献】
【特許文献】
【０００５】
【特許文献１】特開平１１−２５７２５５号公報
【発明の概要】
【発明が解決しようとする課題】
【０００６】
しかしながら、特に最近の厳しい低コスト化が望まれる中、わずかでも材料コストが少ない方が望ましい。特に、上記従来技術においては縛るという工数が高く、低コスト化の妨げの一因となっていた。
【０００７】
本発明は、このような従来の課題を解決するものであり、リード線中間縛りを無くすことで材料費及び工数を減らして低コスト化を図ることを目的とする。
【課題を解決するための手段】
【０００８】
上記課題を解決するために本発明は、リード線のうち１本を他のリード線に巻きつける構成としたものである。
【発明の効果】
【０００９】
リード線のうち１本を他のリード線に巻きつけることにより中間縛りが無くなり、コストを低減することができる。
【図面の簡単な説明】
【００１０】
【図１】本発明の実施例を示す密閉型圧縮機の断面図
【図２】同密閉型圧縮機の部分詳細図
【図３】同密閉型圧縮機の組立手順を示す図
【図４】従来の密閉型圧縮機の断面図
【図５】同密閉型圧縮機の部分詳細図
【発明を実施するための形態】
【００１１】
密閉容器の内部に、電動機とこの電動機により駆動され圧縮工程を行う圧縮機構部を配設し、前記電動機のリード線が、密閉容器に配設された密閉端子に接続される構成において、前記リード線のうち１本を他のリード線に巻きつけた構成にしたものである。
【００１２】
これにより、材料費及び工数を減らして、コストを低減することができる。
【００１３】
（実施の形態１）
以下、本発明の実施の形態を図面を参照しながら説明する。
【００１４】
図１において、密閉容器１０１の内部に、電動機１０２とこの電動機により駆動の主軸１０３を支持する軸受１０４と、この軸受を介して圧縮工程を行う圧縮機構１０５を形成する圧縮ケース１０６が電動機１０２の上部に配設されており、電動機１０２の固定子１１６より延在のリード線１０７は、軸受１０４及び圧縮ケース１０６に貫通された切り欠き通路１１０を通り、密閉容器１０１の上部に配設された密閉端子１０８に接続されている。また密閉容器１０１の下部が油溜まりとなっている。
【００１５】
圧縮機の吸入管１０９から吸入した冷媒気体は、圧縮機構１０５の吸入口１１１から入り、圧縮され、吐出口１１２から前記電動機１０２の側面隙間を経て、切り欠き通路１１０を通り吐出管１１３より圧縮機の外に吐出される。
【００１６】
図２にリード線の詳細形状を説明する。
【００１７】
同図においてリード線１０７のうち１本を他のリード線に巻きつける２０１ことにより、リード線１０７の固定を行っている。
【００１８】
図３により、密閉型圧縮機の組立手順を説明する。
【００１９】
まず、電動機固定子１１６を焼きばめした円筒シェル１１５に、組立後の圧縮機構部を挿入し、溶接にて固定する。
【００２０】
挿入の際、圧縮機構部の外周部に設けた切り欠き通路１１０にリード線１０７を通して上部に引き出す。次に、上部に引き出したリード線１０７を密閉端子１０８に接続して、上蓋１１４をかぶせ円周溶接をして組立てる。
【００２１】
上記の組立方法では、リード線１０７は巻きつけることにより固定されているため、上蓋より確実に離れており、溶接時の熱によって溶断、劣化することがない。
【００２２】
リード線を固定する為の特別な部品は必要とせず安価な圧縮機の実現が可能である。
【産業上の利用可能性】
【００２３】
以上のように、本発明にかかる圧縮機は、低コスト化を実現可能であり、エアーコンディショナー用圧縮機のほかに、ヒートポンプ式給湯機や乗り物用冷凍空調機、冷蔵庫などの用途にも適用できる。
【符号の説明】
【００２４】
１０１  密閉容器
１０２  電動機
１０３  主軸
１０４  軸受
１０５  圧縮機構
１０６  圧縮ケース
１０７  リード線
１０８  密閉端子
１０９  吸入管
１１０  切り欠き通路
１１１  吸入口
１１２  吐出口
１１３  吐出管
１１４  上蓋
１１５  円筒シェル
１１６  固定子
１１７  中間縛り
２０１  リード線巻きつけ
【図１】
2011064094.tif 000003
【図２】
2011064094.tif 000004
【図３】
2011064094.tif 000005
【図４】
2011064094.tif 000006
【図５】
2011064094.tif 000007
(57)【要約】【課題】  従来のコンクリート型枠押さえ金物は止水板がなく、外部からの雨水などが染み込みやすく、単管締め付けボルトを左回転に回すと本体が外れ、本体の穴が残ってモルタルなどの補修が必要である。【解決手段】  コンクリート型枠押さえ金物の後ろに止水板を取り付け、本体を取り外した場合でも止水板が残る様に、本体と止水板の間に溝を設け止水板に半円型の突起を付ける。又、本体を取り外す場合は、本体と単管締め付けボルトを一体とし、本体を残す場合は、本体から外れる単管締め付けボルトの構造とする。【選択図】図２
2011064049.tif 000002
【特許請求の範囲】
【請求項１】
止水板付き鉄筋コンクリート型枠押さえ金物で、止水板ならびに取り外しができる、単官締め付けボルト。
【発明の詳細な説明】
【技術分野】
【０００１】  本発明は鉄筋コンクリート躯体壁の厚さ調整に関する。
【背景技術】
【０００２】  従来の鉄筋コンクリート型枠押さえ金物は止水板がなく、外部からの雨水などが染み込みやすい。又、単管締め付けボルトを左回転に回すと本体が外れ、本体の穴が残ってモルタルなどの補修が必要である。【０００３】  図１の従来の鉄筋コンクリート型枠押さえ金物について説明する。図において、１は本体で２単管締め付けボルトと一体であり、後部に３雌ねじを有している。【０００４】  図２の止水板付き鉄筋コンクリート型枠押さえ金物について説明する。図において、４は本体であり、６止水板を有している。５単管締め付けボルトは４本体から取り外す事が可能である。又、４本体の９雌ねじを加工することにより、５単管締め付けボルトと一体化も可能である。
【発明の概要】
【発明が解決しようとする課題】
【０００５】  以上に述べた従来の鉄筋コンクリート型枠押さえ金物は止水板が無い為、本体取り外し後、雨水などの浸入の恐れがあり、単管締め付けボルトと本体が一体の為、本体取り外し後、穴が開きモルタルなどの穴埋め補修が必要である。【０００６】  本発明はこのような従来の鉄筋コンクリート型枠押さえ金物が有していた雨水の浸入や４本体取り外し後のモルタルの補修などをなくするものである。又、意匠などにより本体取り付け穴を見せたい場合は、４本体の９雌ねじと５単管締め付けボルトをかしめ加工などすることにより取り外す事も可能であり、４本体と５単管締め付けボルトが一体でない構造である。
【課題を解決するための手段】
【０００７】  そして、本発明は上記目的を達成する為に、鉄筋コンクリート型枠押さえ金物の後ろに６止水板を取り付け、４本体を取り外した場合でも６止水板が残る様に、４本体と６止水板の間に８溝を設け６止水板に半円型の７突起を付ける。又、４本体を取り外す場合は、４本体と５単管締め付けボルトをかしめ加工などして一体とし、４本体を残す場合は、４本体から外れる５単管締め付けボルトの構造とする。【０００８】  上記第１の課題解決手段による作用は次の通りである。すなわち４本体と６止水板が離れる構造になっている為、４本体を取り外しても６止水板は残る。４本体を取り外さない５単管締め付けボルトを使用した時は５単管締め付けボルトだけ抜け、４本体に９雌ネジ部分が残る。その９雌ネジを使って壁面緑化の金物や仕上げ材の取り付け金具の施工が容易である。
【発明の効果】
【０００９】  上述した様に、本発明の鉄筋コンクリート型枠押さえ金物は止水板がコンクリート内に残る為、雨水の浸入を防ぎ単管締め付けボルトだけを外した場合、壁面緑化の金具や内部などにおいては、仕上げ材の取り付け金具が容易に取り付けられ、穴埋め補修がなくなる。
【図面の簡単な説明】
【００１０】
【図１】  従来の鉄筋コンクリート型枠押さえ金物の外観図
【図２】  本発明の止水板付き鉄筋コンクリート型枠押さえ金物の外観図
【図３】  本発明の実施形態を示す図
【発明を実施するための形態】
【００１１】  以下、本発明の実施の形態を図３に基づいて説明する。
【００１２】  図においては穴を開けた１１型枠ベニヤに５単管締め付けボルトを差し込み、９雌ねじに１０軸体をねじ込み、１０軸体の反対側にも止水板付き鉄筋コンクリート型枠押さえ金物を１１型枠ベニヤに差し込み、１１型枠ベニヤ外側に１２押し座金を取り付け、１３単管を入れ、１２押し座金を両方から締め込み、ベニヤとベニヤの間の寸法を固定する。
【００１３】  以下、上記止水板付き鉄筋コンクリート型枠押さえ金物の取り付けの順序を説明する。穴を開けた１１型枠ベニヤに５単管締め付けボルトを差し込み、９雌ネジに１０軸体をねじ込み、１０軸体の反対側にも止水板付き鉄筋コンクリート型枠押さえ金物を取り付け１１型枠ベニヤに差し込み、１１型枠ベニヤの外側に１２押し座金を取り付け、１３単管を入れ、１２押し座金を両方から締め込み、ベニヤとベニヤの間の寸法を固定する。
【符号の説明】
【００１４】  １  本体
２  単管締め付けボルト
３  雌ねじ
４  本体
５  単管締め付けボルト
６  止水板
７  突起
８  溝
９  雌ねじ
１０  軸体
１１  型枠ベニヤ
１２  押し座金
１３  単管
【図１】
2011064049.tif 000003
【図２】
2011064049.tif 000004
【図３】
2011064049.tif 000005